(57)【要約】【課題】無地盤地の端部から離れた位置に、杭類を他の杭類から離して打設できる杭打装置を提供することである。【解決手段】無地盤地である河川Ａの両岸に平行に敷設した一対の軌条２に走行架台３を差し渡し、横行台車１０に搭載され、杭１を圧入する圧入装置４と、杭１の圧入反力による走行架台３の浮き上がりを防止する複数の錘５とを走行架台３に設けることにより、走行架台３の走行位置と台車１０の横行位置を位置決めして、河川Ａの任意の位置に杭１を打設できるようにした。【選択図】図１
2005299309.tif 000002
【特許請求の範囲】
【請求項１】
水没地または軟弱地である無地盤地の両側に一対の軌条を平行に敷設して、この一対の軌条に軌条上を走行する走行架台を差し渡し、この走行架台に、前記無地盤地に杭類を圧入する圧入手段と、この杭類の圧入反力による走行架台の浮き上がりを重力で防止する浮き上がり防止手段とを設けた杭打装置。
【請求項２】
前記圧入手段を前記走行架台の差し渡し方向に移動可能とした請求項１に記載の杭打装置。
【請求項３】
前記浮き上がり防止手段を別体の錘とし、この錘を前記走行架台の差し渡し方向に移動可能とした請求項１または２に記載の杭打装置。
【請求項４】
前記走行架台の前記一対の軌条への差し渡しスパンを可変とした請求項１乃至３のいずれかに記載の杭打装置。
【発明の詳細な説明】
【技術分野】
【０００１】
本発明は、河川や池等の水没地や泥地等の軟弱地に杭類を打設する杭打装置に関する。
【背景技術】
【０００２】
水没地や軟弱地（以下、無地盤地と言う）に杭や矢板等の杭類を打設する際には、杭打装置を無地盤地の外側の強固な地盤を有する場所に設置し、杭打装置の届く無地盤地の端部に杭類を打設するようにしている。無地盤地の端部からさらに内部側に杭類の打設を必要とする場合は、端部に打設した杭類で杭打装置の設置基盤を確保し、無地盤地の端部から順に内部側へ杭類を打設するようにしている。
【０００３】
なお、杭打装置には、杭類の打設時の騒音や振動の発生を防止するために、油圧シリンダ等を用いた圧入手段で杭類を地中に圧入し、その圧入反力による杭打装置の浮き上がりを錘等の重力で防止するようにしたものがある（例えば、特許文献１参照）。特許文献１の実施例には、軌条上を走行する台車に杭打装置を設けたものも示されている。
【０００４】
【特許文献１】特公昭４２−６２２６号公報（第１−３頁、第１−４図）
【発明の開示】
【発明が解決しようとする課題】
【０００５】
上述した無地盤地に杭類を打設する従来の方法は、杭打装置の設置基盤を確保するために、無地盤地の端部から順に内部側へしか杭類を打設することができず、例えば、無地盤地である河川の川岸から離れた内部側の位置には、杭類を他の杭類から離して打設することができなかった。
【０００６】
そこで、本発明の課題は、無地盤地の端部から離れた位置に、杭類を他の杭類から離して打設できる杭打装置を提供することである。
【課題を解決するための手段】
【０００７】
上記の課題を解決するために、本発明の杭打装置は、水没地または軟弱地である無地盤地の両側に一対の軌条を平行に敷設して、この一対の軌条に軌条上を走行する走行架台を差し渡し、この走行架台に、前記無地盤地に杭類を圧入する圧入手段と、この杭類の圧入反力による走行架台の浮き上がりを重力で防止する浮き上がり防止手段とを設けた構成を採用した。
【０００８】
すなわち、無地盤地の両側に平行に敷設した一対の軌条に走行架台を差し渡し、この走行架台に杭類を圧入する圧入手段と、杭類の圧入反力による走行架台の浮き上がりを重力で防止する浮き上がり防止手段とを設けることにより、走行架台を走行させて、無地盤地の端部から離れた所望の位置に、杭類を他の杭類から離して打設できるようにした。
【０００９】
前記圧入手段によって杭類を圧入し、浮き上がり防止手段によって圧入反力による走行架台の浮き上がりを防止するようにしたのは、走行架台が杭類の打設時の振動や浮き上がりによって軌条から脱線しないようにするためである。また、圧入手段によって杭類を圧入することにより、騒音の発生も少なくなるので、周囲に迷惑をかけることもない。
【００１０】
前記圧入手段を前記走行架台の差し渡し方向に移動可能とすることにより、無地盤地の任意の位置に杭類を打設することができる。
【００１１】
前記浮き上がり防止手段を別体の錘とし、この錘を前記走行架台の差し渡し方向に移動可能とすることにより、走行架台の軌条への差し渡し両側の接地荷重で、杭類の圧入反力をバランスよく受けることができる。
【００１２】
前記走行架台の前記一対の軌条への差し渡しスパンを可変とすることにより、走行架台に汎用性を持たせることができる。
【発明の効果】
【００１３】
本発明の杭打装置は、無地盤地の両側に平行に敷設した一対の軌条に走行架台を差し渡し、この走行架台に杭類を圧入する圧入手段と、杭類の圧入反力による走行架台の浮き上がりを重力で防止する浮き上がり防止手段とを設けたので、走行架台を走行させて、無地盤地の端部から離れた所望の位置に、杭類を他の杭類から離して打設することができる。また、圧入手段による杭類を圧入は、杭類の打設時に振動や騒音が発生しないので、走行架台を脱線させることなく軌条上に安定させることができ、かつ、周囲に迷惑をかけることもない。
【００１４】
前記圧入手段を前記走行架台の差し渡し方向に移動可能とすることにより、無地盤地の任意の位置に杭類を打設することができる。
【００１５】
前記浮き上がり防止手段を別体の錘とし、この錘を走行架台の差し渡し方向に移動可能とすることにより、走行架台の軌条への差し渡し両側の接地荷重で、杭類の圧入反力をバランスよく受けることができる。
【００１６】
前記走行架台の前記一対の軌条への差し渡しスパンを可変とすることにより、走行架台に汎用性を持たせることができる。
【発明を実施するための最良の形態】
【００１７】
以下、図面に基づき、この発明の実施形態を説明する。この杭打装置は、図１乃至図３に示すように、水没した無地盤地である河川Ａの中に鋼管杭１を打設するものであり、河川Ａの両岸に平行に敷設された一対の軌条２に差し渡した走行架台３に、杭１を圧入する圧入装置４と、杭１の圧入反力による走行架台３の浮き上がりを重力で防止する複数の錘５が設けられており、走行架台３は軌条２に沿って河川Ａの上下流方向に走行するようにモータ６で駆動される。また、走行架台３は、モータ６等の電源となる発電装置７と、杭１の圧入を補助するためのウォータジェット発生装置８も搭載されており、軌条２への差し渡しスパンを変更できるように、中央部３ａとその両側にスライド伸縮する両端部３ｂとに分割されている。
【００１８】
前記圧入装置４は、図４乃至図６に示すように、走行架台３の差し渡し方向に敷設されたレール９上を横行する台車１０に搭載され、台車１０に固定されたフレーム１１に、上下に伸縮する４本の油圧シリンダ１２が取り付けられ、各油圧シリンダ１２の先端部に杭１の外周を９０°の位相で４方向から押圧挟持するジャッキ１３が取り付けられている。
【００１９】
前記杭１を圧入する際には、台車１０の四隅部を、Ｈ型鋼のレール９の上フランジと台車１０の上面とをクランプするコ字断面のクランプ部材１４によってレール９に固定し、杭１の外周を各ジャッキ１３で押圧挟持して各油圧シリンダ１２を下方へ押し出す。なお、杭１を圧入する地盤が固いときは、適宜ウォータジェット発生装置８が作動され、杭１の圧入部分にウォータジェットが噴射される。
【００２０】
前記各錘５は、図７および図８に示すように、走行架台３の差し渡し方向に敷設されたレール１５上にスライド可能に載置され、レール１５間に設けられたストッパ穴１６に差し込まれるストッパ部材１７によってスライド位置を固定されるようになっている。各錘５のスライド位置は、杭１を圧入時における圧入装置４の台車１０の横行位置に応じて、杭１の圧入反力が走行架台３の軌条２への差し渡し両側の接地荷重でバランスよく受けられるように調節される。
【００２１】
したがって、上述した杭打装置は、走行架台３の走行位置と圧入装置４の台車１０の横行位置とを位置決めすることにより、河川Ａの任意の位置に杭１を打設することができ、かつ、打設時に振動や騒音を発生させることがないので、周囲に住宅等があっても迷惑をかけることがない。
【００２２】
上述した実施形態では、鋼管杭を河川に打設するようにしたが、本発明に係る杭打装置は、Ｈ型鋼杭等の他の杭や矢板等を打設することもでき、これらの杭類を泥地等の軟弱地に打設することもできる。また、杭の圧入反力による走行架台の浮き上がりを防止するために、走行架台に別体の錘を設けたが、走行架台自体を十分に重くして、その浮き上がりを防止するようにしてもよい。
【図面の簡単な説明】
【００２３】
【図１】河川に差し渡して設置した杭打装置の実施形態を示す正面図
【図２】図１の側面図
【図３】図１の平面図
【図４】図１の圧入装置を拡大して示す正面図
【図５】図４の側面図
【図６】図４の平面図
【図７】図１の錘を拡大して示す正面図
【図８】図７の平面図
【符号の説明】
【００２４】
１  杭
２  軌条
３  走行架台
３ａ  中央部
３ｂ  端部
４  圧入装置
５  錘
６  モータ
７  発電装置
８  ウォータジェット発生装置
９  レール
１０  台車
１１  フレーム
１２  油圧シリンダ
１３  ジャッキ
１４  クランプ部材
１５  レール
１６  ストッパ穴
１７  ストッパ部材
【図１】
2005299309.tif 000003
【図２】
2005299309.tif 000004
【図３】
2005299309.tif 000005
【図４】
2005299309.tif 000006
【図５】
2005299309.tif 000007
【図６】
2005299309.tif 000008
【図７】
2005299309.tif 000009
【図８】
2005299309.tif 000010